【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】 コンジット及び前記コンジットの地質学的環境を解析するためのタイムドメイン電磁（ＴＥＭ）地下解析システムであって、前記システムの少なくとも一部は、可変性の一次磁場を発信しかつ受信するために前記コンジットに沿って挿入されるように、かつこれに対する電磁応答を前記地質学的環境によって影響された減衰する二次磁場の形式で測定するように構成されるシステム。
【請求項２】 前記コンジットは実質的に非鉄である請求項１に記載のタイムドメイン電磁（ＴＥＭ）地下解析システム。
【請求項３】 前記システムは、前記ＴＥＭ信号を生成するように構成された波形発生器を備える請求項１に記載のタイムドメイン電磁（ＴＥＭ）地下解析システム。
【請求項４】 前記システムの前記部分は、定置コントローラ及びＴＥＭレコーダモジュールに機能的に結合される請求項１に記載のタイムドメイン電磁（ＴＥＭ）地下解析システム。
【請求項５】 前記システムは、周波数変調、振幅変調及びデジタルコーディングのうちの少なくとも１つを利用して前記システムの前記部分と前記定置コントローラとの間を通信するように構成される請求項４に記載のタイムドメイン電磁（ＴＥＭ）地下解析システム。
【請求項６】 前記システムの前記部分は、フィジカル通信チャンネルを介して前記定置コントローラに結合される請求項４に記載のタイムドメイン電磁（ＴＥＭ）地下解析システム。
【請求項７】 前記部分は一体式の電源を備え、前記通信チャンネルは、２本ワイヤのケーブル、４本ワイヤのケーブル及び光ファイバケーブルのうちの１つを備える請求項６に記載のタイムドメイン電磁（ＴＥＭ）地下解析システム。
【請求項８】 前記システムの前記部分は、移動モジュールの一部として構成された少なくとも１つの送信コイルと複数の受信コイルとを備える請求項１に記載のタイムドメイン電磁（ＴＥＭ）地下解析システム。
【請求項９】 前記送信コイルは、前記移動モジュールの一端の周りのラジアル巻線として形成される請求項８に記載のタイムドメイン電磁（ＴＥＭ）地下解析システム。
【請求項１０】 前記複数の受信コイルは互いに垂直である請求項８に記載のタイムドメイン電磁（ＴＥＭ）地下解析システム。
【請求項１１】 前記電磁応答は、処理された応答が前記定置コントローラに伝達される前に処理される請求項１に記載のタイムドメイン電磁（ＴＥＭ）地下解析システム。
【請求項１２】 少なくとも前記受信コイルを予め決められた方法で前記定置コントローラに結合させるためのマルチプレクサ装置をさらに備える請求項８に記載のタイムドメイン電磁（ＴＥＭ）地下解析システム。
【請求項１３】 前記コンジットは下水管である請求項１に記載のタイムドメイン電磁（ＴＥＭ）地下解析システム。
【請求項１４】 ダクトと前記ダクトの地質学的環境を解析するための検査システムであって、
ダクト内に挿入するように構成された第１の装置である、
（ｉ）電磁応答を誘導する可変性の一次磁場を、これに対する電磁応答を前記ダクト及び前記ダクト周辺の物質によって影響された減衰する二次磁場の形式で送信するための送信手段と、
（ｉｉ）前記電磁応答を検出および測定するための検出手段と、
（ｉｉｉ）前記電磁応答を離散信号に変換するための変換手段と、
（ｉｖ）前記離散信号を読み取って、前記第１の装置とは遠隔に配置された第２の装置に伝達するための通信手段と、
を備え、
前記第２の装置は、
（ｉ）前記離散信号を記憶するための記憶手段と、
（ｉｉ）前記離散信号を処理するためのプロセッサと、
（ｉｉｉ）前記処理された離散信号を表示するためのディスプレイと、
を備える検査システム。
【請求項１５】 前記電磁応答は、処理された応答が前記定置コントローラに伝達される前に処理される請求項１４に記載の検査システム。
【請求項１６】 前記第１の装置は少なくとも１つの送信コイルと複数の受信コイルとを備える請求項１４に記載の検査システム。
【請求項１７】 前記第１の装置は、少なくとも前記受信コイルを予め決められた方法で前記第２の装置に結合させるためのマルチプレクサ装置をさらに備える請求項１６に記載の検査システム。
【請求項１８】 添付の図面に示された任意の一実施形態に関連して実質的に本明細書に記載されている通りのタイムドメイン電磁（ＴＥＭ）地下解析システム。
【請求項１９】 添付の図面に示された任意の一実施形態に関連して実質的に本明細書に記載されている通りの検査システム。
【請求項２０】
導管を検査する方法であって、前記導管において電流または複数の電流を誘発する一次磁界を生成し、その結果、前記電流または複数の電流が、前記導管および前記導管を囲む前記地質によって影響される減衰した二次磁界を生じるような生成ステップ；および、前記導管の状態、さらに前記導管を囲む前記地質の表示を提供するため、データのタイムドメイン解析の実行を可能にするような、前記二次磁界に関する前記データを提供するための前記二次磁界の検出ステップからなる方法。
【請求項２１】
設計構造を検査する方法であって、前記構造の電流または複数の電流を誘発するため、前記構造と関連して移動される装置により一次磁界を生成し、その結果、前記電流または複数の電流が、前記構造によって影響される減衰した二次磁界を生じるような生成ステップ；および、前記構造に沿った異なる位置で前記二次磁界を検出し、その結果、前記二次磁界に関するデータの集合が、前記構造の様々な位置における前記構造の状態の表示を提供するため、前記データのタイムドメイン解析の実行を可能にするために得られるような検出ステップからなる方法。
【請求項２２】
設計構造点検装置であって、前記構造において電流または複数の電流を誘発するために一次的な磁界を生じ、その結果、前記電流または複数の電流が、前記構造によって影響される減衰した二次磁界を生じるような伝送器；および、前記構造の状態の表示を提供するように、前記データのタイムドメイン解析の実行を可能にする前記二次磁界に関するデータを提供するため、前記二次磁界を検出するために各々が互いに関して垂直に配置された複数の誘導子コイルからなる装置。
【請求項２３】
表面下の導管を囲んでいる導管の層理を検査する方法であって、層理における電流または複数の電流を誘発するため、前記層理に関連して移動する装置によって一次磁界を生成し、その結果、前記電流または複数の電流は、前記層理によって影響される減衰した二次磁界を生じるような生成；および、前記層理に沿って異なる位置で前記二次磁界を検出し、その結果、前記層理の様々な位置において前記層理の状態の表示を提供するため、前記二次磁界に関するデータの集合が前記データのタイムドメイン解析の実行を可能にするために得られるような検出からなる方法。
【請求項２４】
表面下の導管を囲んでいる層理を検査する導管層理の点検装置であって、前記層理において電流または複数の電流を誘発するために一次磁界を生じ、その結果、前記電流または複数の電流が、前記層理によって影響される減衰した二次磁界を生じるような伝送器；および、前記層理の状態の表示を提供するように、前記データのタイムドメイン解析の実行を可能にするため、前記二次磁界に関するデータを提供するために前記二次磁界を検出するため、各々が互いに関して垂直に配置された複数の誘導子コイルからなる装置。